(57)【要約】      （修正有）【課題】従来どおりの表示面積であるにもかかわらず、当該樹木の名称や科名のみではなく、学名、生育場所、特性、季節毎の様子、愛称やその由来等、その樹木に関する詳細な情報を観察者に提供することができ、しかも、広告媒体としての役割も果たし得る樹名札を提供する。【解決手段】樹名札１に当該樹木を特定するための樹木識別情報と、当該樹木の詳細情報を提供するＷｅｂサイトのＵＲＬ情報が含まれる二次元バーコードを表示し、当該Ｗｅｂサイトが提示するＷｅｂページを当該樹木の名称、科名、属名、学名、生育場所、特性等の普遍的樹木情報のほか、樹齢、愛称及びその由来、治療履歴等の個別樹木情報が閲覧できると共に、広告欄を設けて広告情報が閲覧できるよう構成する。【選択図】図１
0003154456.tif 000002
【実用新案登録請求の範囲】
【請求項１】
樹木を特定する樹木識別情報と、当該樹木に関する詳細な情報を提供するＷｅｂサイトに接続可能なＵＲＬ情報が含まれるＱＲコードを表示してあることを特徴とする樹名札。
【請求項２】
前記樹木識別情報に、樹木名称及び当該樹木の所在や管理者等によって識別され個別に付与された樹木識別番号が含まれていることを特徴とする請求項１に記載の樹名札。
【請求項３】
前記Ｗｅｂサイトが提示するＷｅｂページを、樹木識別情報によって特定された当該樹木の名称、科名、属名、学名、生育場所、開花時期，特性等の普遍的樹木情報のほか、当該樹木の樹齢、愛称及びその由来等の個別樹木情報が閲覧でき、さらに、広告欄を設け広告情報が閲覧できるよう構成したことを特徴とする請求項１及び２に記載の樹名札。
【考案の詳細な説明】
【技術分野】
【０００１】
本考案は、公園、樹木園又は植物園等において、樹木の名称や科名等が記されている名札に関し、詳しくは、これに二次元コードの一種であるＱＲコードを付記することによって、当該観察樹木のより詳細な情報を取得することができるようにした樹名札に関する。
【背景技術】
【０００２】
樹木の幹等に掛けられている名札（樹名札）には、その樹木の一般的名称、或いは、これに科名を併記しているのが通例である。これは、樹名札の表示面積には限りがあり、当該樹木に関する詳細な情報を全て表記することは困難であることと、必要以上に大きくすると景観を損ねるという問題があることによる。特に樹木園のように同種の樹木が数多く広範囲に散植されているところでは、その全てに詳細な説明を記した大きな名札を付けることは景観的にも費用的にも現実的ではない。
【０００３】
観察樹木の詳細がその場で分かれば、観察者の樹木に対する興味や感動がより一層深まり、公園、樹木園又は植物園の本来の目的も達成できるところであるが、従来の樹名札では、当該樹木の名称や科名は知り得ても、学名、生育場所、特性、季節毎の様子等の詳細な情報を得ることはできない。これらの詳細な情報を知りたいと思えば、植物図鑑等を持ち歩きそれと対照しながら観察するしかないが、野外観察での重い図鑑の持ち歩きは不便であるし、園や管理者から案内書やパンフレット等の資料が提供されたとしても、この種の資料は内容的に充分なものとはなっていない。
【０００４】
従来、樹名札に関しては、樹木保護を目的としてその構造に改良を加えたもの（特許文献１）、あるいは、樹木の剪定や薬品散布等の管理情報を一元的に管理するためにバーコードを付したもの（特許文献２）が提案されているが、上記問題点を解消したものは発見できない。
【特許文献１】特開２００５−２６９９５８号
【特許文献２】特開２００５−２６９９５８号
【考案の開示】
【考案が解決しようとする課題】
【０００５】
本考案は、上記従来の欠点に鑑みなされたもので、従来どおりの表示面積であるにもかかわらず、当該樹木の名称や科名のみではなく、学名、生育場所、特性、季節毎の様子、愛称やその由来等、その樹木に関する詳細な情報を観察者に提供することができ、しかも、広告媒体としての役割も果たし得る樹名札の提供を課題とする。
【課題を解決するための手段】
【０００６】
上記課題を解決するため、請求項１の考案にあっては、樹名札に樹木を特定するための樹木識別情報と、当該樹木に関する詳細な情報を提供するＷｅｂサイトに接続可能なＵＲＬ情報が含まれるＱＲコードを表示した。
【０００７】
また、請求項２の考案にあっては、上記ＱＲコードに含まれる樹木識別情報に、樹木名称及び当該樹木の所在や管理者等によって識別され個別に付与された樹木識別番号を含めた。
【０００８】
さらに、請求項３の考案にあっては、前記Ｗｅｂサイトが提示するＷｅｂページを、樹木識別情報によって特定された当該樹木の普遍的樹木情報（名称、科名、属名、学名、生育場所、開花時期、特性等の当該樹木種に共通する情報）のほか、当該樹木の個別樹木情報（樹齢、愛称及びその由来、維持管理や治療履歴等の当該樹木に限られる特有な情報）が閲覧でき、さらに、広告欄を設けて広告情報が閲覧できるよう構成した。
【考案の効果】
【０００９】
請求項１の考案によれば、樹名札に表示されているＱＲコードをカメラ付携帯電話端末で読み取ることにより、当該樹木の詳細な情報（普遍的樹木情報、個別樹木情報、その他の情報）を提供するＷｅｂサイトに接続することができるので、従来どおりの体裁で限られた表示面積からなる樹名札であるにもかかわらず、名称や科名のみならず、学名、生育場所、特性、四季の様子を写した画像等、当該樹木に関する諸々の情報を観察者に提供することができる。
【００１０】
請求項２の考案によれば、ＱＲコードの樹木識別情報に、樹木毎に付与された樹木識別番号情報を含めたことにより、この樹木識別番号を基に、当該樹木の普遍的樹木情報や個別樹木情報（例えば、樹齢、愛称がある場合にはその愛称や命名の由来、記念樹である場合にはその事由、維持管理や治療等の履歴）、さらには、樹名札毎に設定された広告情報やアクセス履歴情報を相互に関連付けておくことが可能となり、樹木（樹名札）毎の的確な各種情報を提示することができる。
【００１１】
請求項３の考案によれば、Ｗｅｂページが当該樹木に関する普遍的樹木情報及び個別樹木情報等が容易に閲覧できるよう構成されているため、樹木観察者は携帯電話端末から容易に当該樹木の詳細を知ることができ、また、樹名札毎に設定された広告情報が適宜提示できるよう構成されているため、広告主にとって費用対効果の優れた広告媒体として活用できる。
【考案を実施するための最良の形態】
【００１２】
以下、図面を参照して本考案の実施の形態を説明する。
図１は本実施形態による樹名札の基本形を示す説明図、図２は本考案に係る樹名札を利用しての樹木情報配信システムの基本構成を示す概念図、図３は樹木情報を提供する樹木情報管理サーバの基本構成を示す概念図、図４はＷｅｂページの表示例を示す説明図である。
【００１３】
樹名札１は、間伐材等で作られた板材２の表面（正面）に、樹木の一般的な名称３及び科名４が表記され、その空白部分にＱＲコード５が表示されている。
【００１４】
ＱＲコード５には、インターネット通信回線網１０を介して樹木の詳細情報を提供するＷｅｂサイトを運営する樹木情報管理サーバ３０に接続しこの樹木情報管理サーバ３０が提示するＷｅｂページを閲覧可能とするＵＲＬ情報と、当該樹木を特定するために樹木名称及びその所在や管理者等によって識別され個別に付与された樹木識別番号情報が含まれている。
【００１５】
尚、ＱＲコード５は、樹名札１の本体を構成する板材２に直接印刷することも可能であるが、本実施形態のように直接印刷に不向きな間伐材を素材とする場合にあっては、板材２とは別に防水加工され耐久性のあるシール又はラベルにＱＲコード５を印刷してこれを板材２に貼着するか、或いは、ＱＲコード５を印刷したプラスチック製又はアルミ製等のプレート片を板材２に取り付ける等の方法をとることが好ましい。
【００１６】
図２で示すように、本考案に係る樹名札１による樹木情報配信システムの基本構成は、インターネット通信回線網１０と、カメラ機能付の携帯電話端末２０と、樹木情報管理サーバ３０及び広告主サーバ４０とによってネット構成されている。
【００１７】
上記樹木情報管理サーバ３０は、メール送受信手段３６、ＦＡＸ送受信手段３７、入出力手段３８のほか、記憶、演算及び制御等の各手段を有し、予めプログラミングされた手順や手法に従って情報処理及び演算処理が行われるようシステム設計された通信機能とサーバ機能を併せ持つコンピュータ装置で、樹木識別番号データベース３１、普遍的樹木情報データベース３２、個別樹木情報データベース３３、広告情報データベース３４及び履歴情報データベース３５等からなるデータベース（ＤＢ）群を有する。
【００１８】
樹木識別番号データベース３１には、樹木名称及び所在や管理者又は所有者等によって識別され、予め樹木毎に付与された番号が樹木識別番号として記憶格納されていて、この樹木識別番号と普遍的樹木情報データベース３２乃至履歴情報データベ−ス３５に記憶されている各種情報とが相互に関連付けられている。
【００１９】
普遍的樹木情報データベース３２には、樹木名称によって分類識別される樹木毎の普遍的樹木情報（名称・科名・属名・学名・生育場所・開花時期・特性等）が画像情報と共にファイル生成され記憶格納されている。
【００２０】
個別樹木情報データベース３３には、当該樹木の個別樹木情報（樹齢・愛称がある場合にはその愛称や命名の由来・記念樹である場合にはその事由や経緯・維持管理や治療等の履歴等）が樹木毎にファイル生成され記憶格納されている。
【００２１】
広告情報データベース３４には、広告主の属性情報（住所・名称・電話番号・メールアドレス等）と広告内容情報（Ｗｅｂページの広告欄に掲載する広告内容）とが、広告主毎にファイル生成され記憶格納されている。
【００２２】
履歴情報データベース３５には、携帯電話端末２０からのアクセス日時やアクセス回数が樹木毎にファイル生成され記憶格納されている。
【００２３】
次に、樹名札１を使い樹木の各種情報を得る手順について説明する。
先ず、観察者が携帯電話端末２０により樹名札１に表示されているＱＲコード５中のＵＲＬ情報を読み込みインターネット通信回線網１０を介して樹木情報管理サーバ３０にアクセスすると、図４で例示するような樹木情報管理サーバ３０の提供するＷｅｂページが携帯電話端末２０のディスプレイに表示される。
【００２４】
このＷｅｂページは、ＱＲコード５に含まれる樹木識別番号情報によって関連付けられた普遍的樹木情報データベース３２内の当該樹木に関する普遍的情報（名称・科名・属名・学名・生育場所・特性等）がその特徴的な画像や四季の様子を写した画像等と共に表示され、ページ中の「豆知識」欄を選択すると、個別樹木情報データベース３３内の当該樹木に関する個別樹木情報（樹齢・愛称や命名の由来・記念樹である場合にはその事由・維持管理や治療等の履歴等）が表示され、また、「みどりの大図鑑：ＨＯＭＥ」欄を選択すると、当該樹木に限らない全ての植物の普遍的樹木情報が検索できる「みどりの大図鑑」のトップページが表示されるよう構成されている。
【００２５】
さらに、このＷｅｂページには「広告欄」が設けられていて、樹木識別番号によって関連付けられた広告情報データベース３４内の当該広告主の広告情報（広告内容）が表示されていて、広告主サーバ４０にもアクセス可能とされている。そして、この広告効果は、履歴情報データベース３５に記憶される携帯電話端末２０からのアクセス日時やアクセス回数によって容易に知ることができる。
【００２６】
本考案は上記のような構成からなり、従来どおりの表示面積からなる樹名札であっても、観察者に当該樹木の詳細な情報を提供することができ、しかも、景観を損なうことなく、安価な樹名札を効果的な広告媒体として活用できるので極めて有用である。
【図面の簡単な説明】
【００２７】
【図１】本実施形態による樹名札の基本形を示す説明図
【図２】樹木情報配信システムの基本構成を示す概念図
【図３】樹木情報管理サーバの基本構成を示す概念図
【図４】Ｗｅｂページの表示例を示す説明図
【符号の説明】
【００２８】
１  樹名札
２  板材
３  樹木名称
４  科名
５  ＱＲコード
１０  インターネット通信回線網
２０  カメラ付携帯電話端末
３０  樹木情報管理サーバ
３１  樹木識別番号データベース
３２  普遍的樹木情報データベース
３３  個別樹木情報データベース
３４  広告情報データベース
３５  履歴情報データベース
４０  広告主サーバ
【図１】
0003154456.tif 000003
【図２】
0003154456.tif 000004
【図３】
0003154456.tif 000005
【図４】
0003154456.tif 000006
【手続補正書】
【提出日】平成21年8月12日(2009.8.12)
【手続補正１】
【補正対象書類名】実用新案登録請求の範囲
【補正対象項目名】全文
【補正方法】変更
【補正の内容】
【実用新案登録請求の範囲】
【請求項１】
樹木を特定する樹木識別情報と、当該樹木に関する詳細な情報を提供するＷｅｂサイトに接続可能なＵＲＬ情報が含まれるＱＲコード（登録商標）を表示してあることを特徴とする樹名札。
【請求項２】
前記樹木識別情報に、樹木名称及び当該樹木の所在や管理者等によって識別され個別に付与された樹木識別番号が含まれていることを特徴とする請求項１に記載の樹名札。
【請求項３】
前記Ｗｅｂサイトが提示するＷｅｂページを、樹木識別情報によって特定された当該樹木の名称、科名、属名、学名、生育場所、開花時期，特性等の普遍的樹木情報のほか、当該樹木の樹齢、愛称及びその由来等の個別樹木情報が閲覧でき、さらに、広告欄を設け広告情報が閲覧できるよう構成したことを特徴とする請求項１または２に記載の樹名札。
【手続補正２】
【補正対象書類名】明細書
【補正対象項目名】全文
【補正方法】変更
【補正の内容】
【考案の詳細な説明】
【技術分野】
【０００１】  本考案は、公園、樹木園又は植物園等において、樹木の名称や科名等が記されている名札に関し、詳しくは、これに二次元コードの一種であるＱＲコード（登録商標）を付記することによって、当該観察樹木のより詳細な情報を取得することができるようにした樹名札に関する。
【背景技術】
【０００２】  樹木の幹等に掛けられている名札（樹名札）には、その樹木の一般的名称、或いは、これに科名を併記しているのが通例である。これは、樹名札の表示面積には限りがあり、当該樹木に関する詳細な情報を全て表記することは困難であることと、必要以上に大きくすると景観を損ねるという問題があることによる。特に樹木園のように同種の樹木が数多く広範囲に散植されているところでは、その全てに詳細な説明を記した大きな名札を付けることは景観的にも費用的にも現実的ではない。【０００３】  観察樹木の詳細がその場で分かれば、観察者の樹木に対する興味や感動がより一層深まり、公園、樹木園又は植物園の本来の目的も達成できるところであるが、従来の樹名札では、当該樹木の名称や科名は知り得ても、学名、生育場所、特性、季節毎の様子等の詳細な情報を得ることはできない。これらの詳細な情報を知りたいと思えば、植物図鑑等を持ち歩きそれと対照しながら観察するしかないが、野外観察での重い図鑑の持ち歩きは不便であるし、園や管理者から案内書やパンフレット等の資料が提供されたとしても、この種の資料は内容的に充分なものとはなっていない。【０００４】  従来、樹名札に関しては、樹木保護を目的としてその構造に改良を加えたもの（特許文献１）、あるいは、樹木の剪定や薬品散布等の管理情報を一元的に管理するためにバーコードを付したもの（特許文献２）が提案されているが、上記問題点を解消したものは発見できない。【特許文献１】特開２００５−２６９９５８号
【特許文献２】特開２００５−２６９９５８号
【考案の開示】
【考案が解決しようとする課題】
【０００５】  本考案は、上記従来の欠点に鑑みなされたもので、従来どおりの表示面積であるにもかかわらず、当該樹木の名称や科名のみではなく、学名、生育場所、特性、季節毎の様子、愛称やその由来等、その樹木に関する詳細な情報を観察者に提供することができ、しかも、広告媒体としての役割も果たし得る樹名札の提供を課題とする。
【課題を解決するための手段】
【０００６】  上記課題を解決するため、請求項１の考案にあっては、樹名札に樹木を特定するための樹木識別情報と、当該樹木に関する詳細な情報を提供するＷｅｂサイトに接続可能なＵＲＬ情報が含まれるＱＲコード（登録商標）を表示した。【０００７】  また、請求項２の考案にあっては、上記ＱＲコード（登録商標）に含まれる樹木識別情報に、樹木名称及び当該樹木の所在や管理者等によって識別され個別に付与された樹木識別番号を含めた。【０００８】  さらに、請求項３の考案にあっては、前記Ｗｅｂサイトが提示するＷｅｂページを、樹木識別情報によって特定された当該樹木の普遍的樹木情報（名称、科名、属名、学名、生育場所、開花時期、特性等の当該樹木種に共通する情報）のほか、当該樹木の個別樹木情報（樹齢、愛称及びその由来、維持管理や治療履歴等の当該樹木に限られる特有な情報）が閲覧でき、さらに、広告欄を設けて広告情報が閲覧できるよう構成した。
【考案の効果】
【０００９】  請求項１の考案によれば、樹名札に表示されているＱＲコード（登録商標）をカメラ付携帯電話端末で読み取ることにより、当該樹木の詳細な情報（普遍的樹木情報、個別樹木情報、その他の情報）を提供するＷｅｂサイトに接続することができるので、従来どおりの体裁で限られた表示面積からなる樹名札であるにもかかわらず、名称や科名のみならず、学名、生育場所、特性、四季の様子を写した画像等、当該樹木に関する諸々の情報を観察者に提供することができる。【００１０】  請求項２の考案によれば、ＱＲコード（登録商標）の樹木識別情報に、樹木毎に付与された樹木識別番号情報を含めたことにより、この樹木識別番号を基に、当該樹木の普遍的樹木情報や個別樹木情報（例えば、樹齢、愛称がある場合にはその愛称や命名の由来、記念樹である場合にはその事由、維持管理や治療等の履歴）、さらには、樹名札毎に設定された広告情報やアクセス履歴情報を相互に関連付けておくことが可能となり、樹木（樹名札）毎の的確な各種情報を提示することができる。【００１１】  請求項３の考案によれば、Ｗｅｂページが当該樹木に関する普遍的樹木情報及び個別樹木情報等が容易に閲覧できるよう構成されているため、樹木観察者は携帯電話端末から容易に当該樹木の詳細を知ることができ、また、樹名札毎に設定された広告情報が適宜提示できるよう構成されているため、広告主にとって費用対効果の優れた広告媒体として活用できる。
【考案を実施するための最良の形態】
【００１２】  以下、図面を参照して本考案の実施の形態を説明する。  図１は本実施形態による樹名札の基本形を示す説明図、図２は本考案に係る樹名札を利用しての樹木情報配信システムの基本構成を示す概念図、図３は樹木情報を提供する樹木情報管理サーバの基本構成を示す概念図、図４はＷｅｂページの表示例を示す説明図である。【００１３】  樹名札１は、間伐材等で作られた板材２の表面（正面）に、樹木の一般的な名称３及び科名４が表記され、その空白部分にＱＲコード（登録商標）５が表示されている。【００１４】  ＱＲコード（登録商標）５には、インターネット通信回線網１０を介して樹木の詳細情報を提供するＷｅｂサイトを運営する樹木情報管理サーバ３０に接続しこの樹木情報管理サーバ３０が提示するＷｅｂページを閲覧可能とするＵＲＬ情報と、当該樹木を特定するために樹木名称及びその所在や管理者等によって識別され個別に付与された樹木識別番号情報が含まれている。【００１５】  尚、ＱＲコード（登録商標）５は、樹名札１の本体を構成する板材２に直接印刷することも可能であるが、本実施形態のように直接印刷に不向きな間伐材を素材とする場合にあっては、板材２とは別に防水加工され耐久性のあるシール又はラベルにＱＲコード（登録商標）５を印刷してこれを板材２に貼着するか、或いは、ＱＲコード（登録商標）５を印刷したプラスチック製又はアルミ製等のプレート片を板材２に取り付ける等の方法をとることが好ましい。【００１６】  図２で示すように、本考案に係る樹名札１による樹木情報配信システムの基本構成は、インターネット通信回線網１０と、カメラ機能付の携帯電話端末２０と、樹木情報管理サーバ３０及び広告主サーバ４０とによってネット構成されている。【００１７】  上記樹木情報管理サーバ３０は、メール送受信手段３６、ＦＡＸ送受信手段３７、入出力手段３８のほか、記憶、演算及び制御等の各手段を有し、予めプログラミングされた手順や手法に従って情報処理及び演算処理が行われるようシステム設計された通信機能とサーバ機能を併せ持つコンピュータ装置で、樹木識別番号データベース３１、普遍的樹木情報データベース３２、個別樹木情報データベース３３、広告情報データベース３４及び履歴情報データベース３５等からなるデータベース（ＤＢ）群を有する。【００１８】  樹木識別番号データベース３１には、樹木名称及び所在や管理者又は所有者等によって識別され、予め樹木毎に付与された番号が樹木識別番号として記憶格納されていて、この樹木識別番号と普遍的樹木情報データベース３２乃至履歴情報データベ−ス３５に記憶されている各種情報とが相互に関連付けられている。【００１９】  普遍的樹木情報データベース３２には、樹木名称によって分類識別される樹木毎の普遍的樹木情報（名称・科名・属名・学名・生育場所・開花時期・特性等）が画像情報と共にファイル生成され記憶格納されている。【００２０】  個別樹木情報データベース３３には、当該樹木の個別樹木情報（樹齢・愛称がある場合にはその愛称や命名の由来・記念樹である場合にはその事由や経緯・維持管理や治療等の履歴等）が樹木毎にファイル生成され記憶格納されている。【００２１】  広告情報データベース３４には��広告主の属性情報（住所・名称・電話番号・メールアドレス等）と広告内容情報（Ｗｅｂページの広告欄に掲載する広告内容）とが、広告主毎にファイル生成され記憶格納されている。【００２２】  履歴情報データベース３５には、携帯電話端末２０からのアクセス日時やアクセス回数が樹木毎にファイル生成され記憶格納されている。【００２３】  次に、樹名札１を使い樹木の各種情報を得る手順について説明する。  先ず、観察者が携帯電話端末２０により樹名札１に表示されているＱＲコード（登録商標）５中のＵＲＬ情報を読み込みインターネット通信回線網１０を介して樹木情報管理サーバ３０にアクセスすると、図４で例示するような樹木情報管理サーバ３０の提供するＷｅｂページが携帯電話端末２０のディスプレイに表示される。【００２４】  このＷｅｂページは、ＱＲコード（登録商標）５に含まれる樹木識別番号情報によって関連付けられた普遍的樹木情報データベース３２内の当該樹木に関する普遍的情報（名称・科名・属名・学名・生育場所・特性等）がその特徴的な画像や四季の様子を写した画像等と共に表示され、ページ中の「豆知識」欄を選択すると、個別樹木情報データベース３３内の当該樹木に関する個別樹木情報（樹齢・愛称や命名の由来・記念樹である場合にはその事由・維持管理や治療等の履歴等）が表示され、また、「みどりの大図鑑：ＨＯＭＥ」欄を選択すると、当該樹木に限らない全ての植物の普遍的樹木情報が検索できる「みどりの大図鑑」のトップページが表示されるよう構成されている。【００２５】  さらに、このＷｅｂページには「広告欄」が設けられていて、樹木識別番号によって関連付けられた広告情報データベース３４内の当該広告主の広告情報（広告内容）が表示されていて、広告主サーバ４０にもアクセス可能とされている。そして、この広告効果は、履歴情報データベース３５に記憶される携帯電話端末２０からのアクセス日時やアクセス回数によって容易に知ることができる。【００２６】  本考案は上記のような構成からなり、従来どおりの表示面積からなる樹名札であっても、観察者に当該樹木の詳細な情報を提供することができ、しかも、景観を損なうことなく、安価な樹名札を効果的な広告媒体として活用できるので極めて有用である。
【図面の簡単な説明】
【００２７】
【図１】本実施形態による樹名札の基本形を示す説明図
【図２】樹木情報配信システムの基本構成を示す概念図
【図３】樹木情報管理サーバの基本構成を示す概念図
【図４】Ｗｅｂページの表示例を示す説明図
【符号の説明】
【００２８】  １  樹名札  ２  板材  ３  樹木名称  ４  科名  ５  ＱＲコード（登録商標）  １０  インターネット通信回線網  ２０  カメラ付携帯電話端末  ３０  樹木情報管理サーバ  ３１  樹木識別番号データベース  ３２  普遍的樹木情報データベース  ３３  個別樹木情報データベース  ３４  広告情報データベース  ３５  履歴情報データベース  ４０  広告主サーバ
【手続補正４】
【補正対象書類名】図面
【補正対象項目名】図１
【補正方法】変更
【補正の内容】
【図１】
0003154456.tif 000007